(57)【特許請求の範囲】
【請求項１】
１つのフットプレート（８５ａ）と、該フットプレート（８５ａ）に一体成形された複数の壁（９０ａ，９５ａ）とから成り、前記複数の壁（９０ａ，９５ａ）が相互に角度を成して配置され、かつ前記フットプレート（８５ａ）上に少なくとも１つの面区分（１３０，１８５，２１０）を少なくとも部分的に画成しており、前記壁（９０ａ，９５ａ）が少なくとも１本の成形材（３５，４０，７０）に固定される形式の、成形材（３５，４０，７０）を固定するための台座（８０ａ）において、少なくとも１つの壁（９０ａ，９５ａ）が、１つの第１壁区分（１００，１１０）と１つの第２壁区分（１７５，１８０）とを有しており、各壁区分（１００，１１０，１７５，１８０）が、夫々異なった大きさの面区分（１３０，１８５，２１０）を画成しており、異なった大きさの面区分（１３０，１８５，２１０）が、それぞれ異なった大きさの成形材（３５，４０，７０）に適合されていることを特徴とする、成形材を固定するための台座。
【請求項２】
各壁（９０ａ，９５ａ）が、１つの第１壁区分（１００，１１０）と１つの第２壁区分（１７５，１８０）とを有している、請求項１記載の台座。
【請求項３】
両壁（９０ａ，９５ａ）が互いに直角に位置しており、前記両壁の壁区分（１００，１１０，１７５，１８０）が、互いに直角に位置する４つの側縁（１２０ａ，１２５ａ，１６２ａ，１６７ａ）と相俟って少なくとも１つの面区分（１３０，１８５，２１０）を画成している、請求項１又は２記載の台座。
【請求項４】
２つの第１壁区分（１００，１１０）によって画成された第１面区分（１３０）が正方形に形成されており、夫々１つの第１壁区分（１００，１１０）と１つの第２壁区分（１７５，１８０）とによって画成された２つの第２面区分（１８５）が長方形に形成されており、２つの第２壁区分（１７５，１８０）によって画成された第３面区分（２１０）が正方形に形成されている、請求項１から３までのいずれか１項記載の台座。
【請求項５】
正方形の第１面区分（１３０）の辺寸法（ａ）が、第１の正方形成形材（３５）の辺寸法（ａ）に等しく、長方形の第２面区分（１８５）の第１辺寸法（ａ）が第２の長方形成形材（４０）の第１辺寸法（ａ）に等しく、前記第２面区分（１８５）の第２辺寸法（２ａ）が前記第２の長方形成形材（４０）の第２辺寸法（２ａ）に等しく、正方形の第３面区分（２１０）の辺寸法（２ａ）が、第３の正方形成形材（７０）の辺寸法（２ａ）に等しい、請求項４記載の台座。
【請求項６】
フットプレート（８５ａ）内に、沈頭揉み皿（１４０）を有する少なくとも１つの貫通孔（１３５）が形成されており、該貫通孔を通して固定子が、１本の成形材（３５，４０，７０）の縦孔（５５）内へ係合するために導入可能である、請求項１から５までのいずれか１項記載の台座。
【請求項７】
各壁区分（１００，１１０，１７５，１８０）内に夫々少なくとも１つの長穴（１４５，１５０，１９０，１９５）が配置されており、該長穴（１４５，１５０，１９０，１９５）を通して固定子が、成形材（３５，４０，７０）のアンダーカット溝（５０）に係合するために挿通可能である、請求項１から６までのいずれか１項記載の台座。
【請求項８】
フットプレート（８５ａ）の側縁（１２０ａ，１２５ａ，１６２ａ，１６７ａ）に、組立補助手段としてのマーキング対（１６５，１７０）が形成されている、請求項１から７までのいずれか１項記載の台座。
【請求項９】
１つの面（２５）に台座（８０ａ）をアンカー止めするために、アンカー締結手段用の貫通孔（１３５，１５５）が形成されている、請求項１から８までのいずれか１項記載の台座。
【請求項１０】
面区分（１３０，１８５，２１０）の側の貫通孔（１３５，１５５）が、ボルトヘッドのための沈頭揉み皿を有している、請求項９記載の台座。
【請求項１１】
台座（８０ａ）の下面（１３７）に沿って、隆起面区分（１６０）が形成されている、請求項１から１０までのいずれか１項記載の台座。
【請求項１２】
１つの面（２５）上で請求項１から１１までのいずれか１項記載の台座（８０ａ）によってアンカー締結された並列配置された複数本の成形材（３５，４０，７０）と、前記成形材（３５，４０，７０）間に固定手段（３０，３１）によって配置されたフレーム（１７）とから成る、防護フェンス。
【発明の詳細な説明】
技術分野：
本発明は、請求項１に記載した形式の成形材を固定するための台座に関する。
背景技術：
前記形式の台座は、例えばロボットのような産業上の生産設備をめぐる防護フェンス、又は隔壁用の支柱として役立つ成形材を固定する際に使用される。成形材を固定するためのこのような台座は、１つのフットプレートと、該フットプレートに一体成形された２つの壁とから成っており、前記の両壁は互いに直角に配置されている。両壁は、フットプレート上の面区分を少なくとも部分的に制限している。更に両壁は、少なくとも１本の成形材に沿って固着可能である。比較的小さな成形材を固着する場合、台座のフットプレートは張出しており、これによって台座は躓き部位を形成することになる。従ってこのような台座では、特定サイズの成形材しか固定することができない。要するに別のサイズの場合には別の台座が必要である。これによって異なった台座の個数が増加し、ひいてはストック量が増大する。
更に１つのフットプレートと、補強エレメントとして役立つ２つの組付けアングル材とから成る台座も公知である。フットプレートはこの場合、１つの面、例えば生産ホールの床面とねじ締結され、かつ組付けアングル材はフットプレート並びに成形材とねじ締結されている。フットプレート及び２つの組付けアングル材の使用によって組付け経費は比較的割高になる。そればかりでなく成形材がフットプレートの中央に固定されている。これによってフットプレートは、１つの防護フェンスによって形成される制限線を超えて張出し、従って躓き部位を形成することになる。
また成形材をジョイント足部及び基礎アングル材によって面に固定することも公知である。しかしながらこの場合も、多数の部品を必要とすることに基づいて、組付け経費は高くなる。
更にまた１本の成形材を複数の位置に固定できるようにしたボトムプレートも公知である。従って、防護フェンスによって形成される制限線を超えてボトムプレートが張出すことは回避される。しかしながらこの場合、成形材はその端面を介してしかボトムプレートに固定されない。該成形材は、側面では支持されないので、僅かな力しか吸収することができない。
更にまた、接合板を溶接したフットプレートが公知である。成形材はこの場合、平行に配置された２つの接合板の間に固定される。両接合板をフットプレートに溶接する場合、間隔を正確に維持しかつ両接合板を互いに平行に方位づけるように格別の注意を払う必要がある。この場合もフットプレートが、隔壁によって形成される制限線を超えて張出し、従って危険部位を形成するという問題がある。
発明の開示：
請求項１の特徴部に記載した構成手段を有する本発明の成形材を固定するための台座は、従来技術に対比して、種々異なったサイズの成形材のために台座を使用できるので、殊にストック費が節減されるという利点を有している。また、どのような成形材を使用すべきかを、建設現場で短時間のうちに決定することができる。その場合、第１の辺寸法を有する１本の正方形成形材、２倍の辺寸法を有する１本の正方形成形材、及び１倍の辺寸法と２倍の辺寸法を有する１本の長方形成形材を固定できるように面区分を設計するのが特に有利である。それというのも、これは概ね市販の成形材の等級付けに相当するからである。
本発明の台座のその他の利点及び有利な構成手段は、請求項２以降に記載した事項及び図面の詳細な説明に基づいて明らかである。
本発明の台座は更に、使用部品の個数が少ないことに基づいて組立が簡便になり、それにも拘わらず高い応力を伝達できるという利点を有している。成形材を固定するために互いに直角に位置する２つの壁区分を使用することによって、成形材は固定座を有している。成形材内に形成された縦孔に整合する貫通孔がフットプレート内に配設されている場合には、成形材を付加的にアンカー締結することが可能である。壁区分内に複数の貫通孔が形成されている場合には、成形材は、標準的な固定手段を介してアンカー締結することができる。前記の貫通孔を長穴として構成した場合には、比較的高い遊隙は、トレランスを補償する際に利用され、或いは成形材をねじ締結するために複数本の固定ねじを使用することが可能になる。台座は、向かい合う２つの側縁に夫々形成されたマーキングによって特に簡便に方位修正することできる。台座の下面側に隆起した面区分を形成することによって、台座のための特定の支承点が得られる。台座は加圧鋳造法で格別低廉に製造することができる。本発明の台座を使用すれば、躓きによる事故災害を最低限に抑えた安定的な防護フェンスを簡便に組立てることが可能である。
【図面の簡単な説明】
図１は防護フェンスセグメントの正面図である。
図２は第１の成形材の横断面図である。
図３は第２の成形材の横断面図である。
図４は第３の成形材の横断面図である。
図５は台座を上方から見た第１の斜視図である。
図６は台座を下方から見た第２の斜視図である。
図７は異なった実施形態による台座の斜視図である。
発明を実施するための最良の形態：
次に図面に基づいて本発明の実施例を詳説する。
図１には、産業上の生産設備をめぐる防護フェンスを構築するために使用されるような防護フェンスセグメント１０が図示されている。複数本の額縁形材１５によって形成された長方形のフレーム１７内には、金網２０が張設されている。しかし金網２０に代えて、例えばプラスチックパネルを張設することも可能である。額縁形材１５は互いにねじ締結されている。フレーム１７は面２５（例えば生産ホールの床面）に対して間隔をおいて、固定手段３０及び３１によって２つの平行に配置された支柱間に固定されており、前記支柱は、第１の成形材３５と第２の成形材４０とから成っている。第１と第２の成形材３５，４０とから成る支柱には、別のフレーム１７を種々の角度で接続することができるので、各種の生産装置を完全に包囲することが可能である。
図２に示した第１の成形材３５は、１辺の辺寸法をａとするほぼ正方形の外側輪郭を備えた横断面を有している。該成形材３５はその各縦方向側面４５に沿って、アンダーカット溝５０を有している。成形材３５の中心には１つの縦孔５５が形成されている。通常このような成形材３５はアルミニウム押出しプレス法で製作されている。
図３に示した第２の成形材４０の外側輪郭の横断面は、ほぼ長方形である。互いに向き合う第１の縦方向側面６０の幅はａであり、かつ互いに向き合う第２の縦方向側面６５の幅は２ａである。第１の各縦方向側面６０に沿って夫々１つのアンダーカット溝５０が形成されている。第２の各縦方向側面６５に沿って、夫々２つのアンダーカット溝５０が形成されており、両溝の対称軸線は相互距離ａを有しかつ前記第１の縦方向側面６０から距離ａ／２を有している。第２の両縦方向側面６５の、互いに向き合う２つの溝５０間には夫々１つの縦孔５５が形成されている。更に前記の両縦孔５５の間には、１つの比較的大きな中空通路が形成されている。
図４に示した第３の成形材７０は別の変化実施形態を示す。この場合、外側輪郭はやはり正方形であり、１辺の辺寸法は２ａである。各縦方向側面７５には、第２の成形材４０の場合のように、２つのアンダーカット溝５０が形成されている。この成形材７０では、４つの縦孔５５が形成され、やはり対称的に配置されている。
それ自体公知の成形材３５，４０，７０のその他のデータは、シュツットガルト在、ロベルト・ボッシュ社による’９６／’９７年刊行の“Ｍｅｃｈａｎｉｋ−Ｇｒｕｎｄｅｌｅｍｅｎｔｅ”に基づいて容易に推考することができる。
成形材３５，４０又は７０を面２５とアンカー締結するためには、図５及び図６に示した台座８０が使用され、該台座は例えば特に低廉な加圧鋳造法で製作することができる。台座８０は、ほぼ正方形の底面を有する１つのフットプレート８５と、該フットプレートの上面８７に配置された２つの壁９０，９５とから成り、前記の両壁は、フットプレート８５に対して直立しかつ互いに直角に位置しており、しかも本実施例では両壁は直交している。第１の壁９０及び第２の壁９５は、フットプレート８５の全幅にわたって延びている。第１の壁９０は、フットプレート８５の上面８７から高さｒを有する第１壁区分１００から成っている。更に第１の壁９０は、この第１の壁９０と第２の壁９５との交差部位を起点として第１壁区分１００に接続するリブ１０５から成っている。リブ１０５の外側輪郭は、曲率半径ｒの円弧を有し、該円弧はフットプレート８５の側縁に密接して終わっている。第２の壁９５は同様に、高さｒの第１壁区分１１０と、該壁区分に接続する曲率半径ｒの円弧状のリブ１１５とから成っている。第１壁区分１００は、これに平行な、フットプレート８５の側縁１２０に対して距離ａを有している。第１の壁９０の第１壁区分１００に対して直角に配置された第２の壁９５の第１壁区分１１０は、フットプレート８５の平行な側縁１２５に対して同じく距離ａを有している。従って両方の第１壁区分１００及び１１０並びに側縁１２０及び１２５は、フットプレート８５内に、１辺の辺寸法をａとする正方形面区分１３０を画成する。該正方形面区分１３０が第１壁区分１００，１１０と相俟って形成するエッジに沿ってフットプレート８５内には小さな凹所１３２が形成されている。側縁１２０から値ａ／２の距離を隔て、かつ側縁１２５から値ａ／２の距離を隔てて、要するに正方形面区分１３０の中央に、第１貫通孔１３５が配置されている。フットプレート８５の下面１３７では、前記第１貫通孔１３５は拡張されて沈頭揉み皿１４０を形成しており、該沈頭揉み皿内には、例えば平頭ボルトのヘッドを配置することが可能である。第１壁区分１００内には、側縁１２５から値ａ／２の距離を隔てて、高さ方向に延びる第１長穴１４５の形の貫通孔が形成されている。同様の方式で第１壁区分１１０内には、側縁１２０から値ａ／２の距離を隔てて第２長穴１５０が形成されている。
側縁１２０，１２５によって形成されるコーナー領域を除いて、フットプレート８５の残り３つのコーナー領域は第２貫通孔１５５を有している。フットプレート８５の下面１３７には、第１貫通孔１３５及び第２貫通孔１５５をめぐって隆起された面区分１６０が形成されている。フットプレート８５の側縁１２５及び、該側縁に対向する平行な側縁１６２には、側縁１２０から値ａ／２の距離を隔てて夫々１つのノッチ状のマーキング１６５が形成されている。フットプレート８５の側縁１２０及び、該側縁に対向する平行な側縁１６７には、側縁１２５から値ａ／２の距離を隔てて付加的な夫々１つのノッチ状のマーキング１７０が形成されている。第１貫通孔１３５は、前記のマーキング１６５及び１７０を起点として夫々側縁１２０及び１２５に対して平行に延びる２本の直線ｘ，ｙの交点に配置されている。
面２５内に成形材３５をアンカー締結するためには、成形材３５の２つの縦方向側面４５が先ず台座８５の第１壁区分１００及び１１０と当接させられる。成形材３５の一方の端面はその場合、正方形面区分１３０に当接する。場合によって定尺断裁時に成形材３５の端面側に生じたまくれは、凹所１３２内に部分的に収容することができる。成形材３５の横断面の外側輪郭の辺寸法、並びに正方形面区分１３０の辺寸法は共に値ａであるので、第１壁区分１００及び１１０とは反対の側の成形材３５の両縦方向側面４５は、フットプレート８５の側縁１２０，１２５にぴったり整合する。縦孔５５を成形材３５の中心に配置し、かつ貫通孔１３５を正方形面区分１３０の中心に配置したことに基づいて、各縦軸線は互いに軸整合する。従ってフットプレート１３５の下面側から固定ねじを、貫通孔１３５を通して成形材３５の縦孔５５内にねじ締結することが可能である。側縁１２５及び１２０からの第１長穴１４５及び第２長穴１５０の平均距離が値ａ／２であることに基づいて、第１長穴１４５及び第２長穴１５０は共に、成形材３５の縦方向側面４５の、各アンダーカット溝５０と協働する。従って成形材３５は例えば平頭ボルト、及びＴ形ナット、又は同等に作用する固定手段によって、第１壁区分１００及び１１０に固定される。いま述べた標準的な固定手段は、ロベルト・ボッシュ社刊の前掲カタログ“Ｍｅｃｈａｎｉｋ−Ｇｒｕｎｄｅｌｅｍｅｎｔ”に基づいて公知である。
生産設備をめぐる防護フェンスを設置するためには先ず面２５上に、個々の防護フェンスセグメント１０をこれに沿って設立しようとするラインが表記される。個々のフレーム１７のための支柱を配置しようとする部位には、前記の表記したラインに対して垂直に罫線が引かれる。次いで面２５上に台座８０が、例えばマーキング１６５を前記ラインに整合させ、かつマーキング１７０を前記罫線に整合させるように設置される。両マーキング１６５，１７０によって形成される直線ｘ，ｙの各交点には貫通孔１３５も位置しているので、該貫通孔１３５は、前記のラインと罫線との交点に直接重なって位置している。成形材３５の縦孔５５の縦軸線が貫通孔１３５とも軸整合していることによって、支柱として使用される成形材３５は正確に方位づけられる。台座８０を位置決めする場合、貫通孔１５５を通してマーキングを付けられる。次いで穴が面２５に作孔され、該穴にアンカー締結用拡張栓が導入される。それに続いて台座８０が、貫通孔１５５に通されるボルトによって面２５に固定される。成形材３５の高さ位置を変更する必要がある場合には、正方形面区分１３０と成形材３５の端面との間に例えばワッシャを挿嵌することも可能である。成形材３５の角度位置を変更する必要がある場合は、慣用のように面２５と隆起した面区分１６０との間にワッシャを挿嵌することによって行われる。
１つの防護フェンスの台座８０全体は、該台座のリブ１０５，１１５が、閉じられた防護フェンスの内側へ向くように設置されている。これに基づいて、防護フェンスによって形成される制限線を超えて張出すような躓き部位は全く存在しない。並列的に配置された２つの防護フェンスセグメント１０は、これによって形成される角度が概ね９０°〜１８０°になるように設置される。
第１の成形材３５に対比して２倍の幅を有する第２の成形材４０を組付けるためには、２つの台座８０が使用される。成形材４０の端面はその場合、１つの台座８０の正方形面区分１３０上に夫々半分ずつ載設されている。これによって該成形材４０の両縦孔５５が、両台座８０の貫通孔１３５に軸整合されることになる。更にまた該成形材４０の１つの第２縦方向側面６５と２つの第１縦方向側面６０は、２つの台座８０の対応した第１壁区分１００，１１０に当接する。ここでは、４つのアンダーカット溝５０が、対応した長穴１４５，１５０と協働することになるので、成形材４０を付加的な固定手段によって特に安定的に固定することが可能である。従って１つの防護フェンスの強い負荷を受ける部位に成形材４０を、図１に示したように配置することができる。
第３の成形材７０を組付ける場合には４つの台座８０が使用される。これら４つの台座８０は夫々、４つの正方形面区分１３０が、成形材７０の横断面の正方形外側輪郭に相当する１つの正方形面を生ぜしめるように配置されている。この場合、４対の整合する縦孔５５及び貫通孔１３５が生じる。また第１及び第２の長穴１４５，１５０及び、成形材７０の縦方向側面７５の対応したアンダーカット溝５０が８対生じる。成形材７０はその場合、第２貫通孔１５５を介して、必要に応じて４本〜１２本のボルトによって面２５にアンカー締結される。このようにアンカー止めされた成形材７０は、例えばクレーンの構成部分として使用することもできる。
図５に示した破線は、円弧状のリブ１０５，１１５の外側輪郭の成形上の実施態様を表わしている。外側輪郭は、凸面状の成形に代えて、例えば凹面状に成形されていてもよい。しかし又、リブは直線的な外側輪郭を有することもできる。図示のリブ１０５及び１１５が外向きの湾曲を有していることによって、例えば貫通孔１５５内に配置されたボルトのボルトヘッドをカバーするキャップを、前記の湾曲に相応して構成することができる。これによって事故発生率が更に低下される。機械的な負荷が極端に高くなければ、前記リーブ１０５，１１５を完全に省くことも考えられる。また低負荷の場合には、２つの第１壁区分１００及び１１０に代えて、ただ１つの第１壁区分１００又は１１０を設けることも考えられる。第１壁区分１００及び１１０の更なる変化態様によれば、第１長穴１４５及び第２長穴１５０が形成されていず、この長穴に代えて第１壁区分１００及び１１０には、成形材３５，４０，７０の１つの縦方向側面に形成されたアンダーカット溝５０に対応した横断面を有する突起が一体成形されている。しかしながらこのような構成は比較的窮屈なトレランスを要求する。これが必要になるのは、両部分が組合せ時に互いに滑動せねばならない一方、両部分が過度に大きな遊びを有してはならないからである。
またフットプレート８５の形状が長方形又は正方形でない場合も考えられ、互いに垂直に位置する２つの直線的な側縁１２０と１２５を維持した四半円に相当するフットプレート形状も可能である。
成形材３５，４０又は７０を面２５に固定するための、特に多面的に使用可能な台座８０ａが図７に示されている。該台座８０ａは、ほぼ正方形の底面を有する１つのフットプレート８５ａと、該フットプレートの上面８７ａ上に配置されていて前記フットプレート８５ａに対して直立しかつ互いに直交する２つの壁９０ａ，９５ａとから成っている。両壁９０ａ，９５ａはフットプレート８５ａの全幅にわたっている。第１の壁９０ａは、フットプレート８５ａの上面８７ａから高さｒを有する第１壁区分１００有している。更に前記第１の壁９０ａは、第１の壁９０ａと第２の壁９５ａとの交差部位で前記第１壁区分１００に接続する第２壁区分１７５を有している。第１の壁９０ａの第２壁区分１７５の外側輪郭は曲率半径ｒ2の円弧を有し、該曲率半径の大きさは高さｒよりも小さい。第２の壁９５ａも同じく、高さｒの第１壁区分１１０と、該第１壁区分に接続する曲率半径ｒ2の第２壁区分１８０とから成っている。前記の両方の第１壁区分１００及び１１０は、曲率半径ｒ2の円弧を有することも可能である。
第１壁区分１００とフットプレート８５ａの平行な側縁１２０ａとの距離は値ａである。第１の壁９０ａの第１壁区分１００に対して直角に配置された第２の壁９５ａの第１壁区分１１０と、フットプレート８５ａの平行な側縁１２５ａとの距離は同じく値ａである。従って両方の第１壁区分１００，１１０並びに側縁１２０ａ，１２５ａは、１辺の辺寸法をａとする正方形面区分１３０をフットプレート８５ａに画成する。前記正方形面区分１３０が両方の第１壁区分１００，１１０と相俟って形成するエッジに沿って、フットプレート８５ａには小さな凹所１３２が形成されている。台座８０ａの正方形面区分１３０内には、台座８０の場合と同様に１つの貫通孔１３５が形成されている。
第１の壁９５ａの第１壁区分１００内には、側縁１２５ａから値ａ／２の距離を隔てて１つの貫通孔が、高さ方向に延びる第１長穴１４５の形で形成されている。同様に第２の壁９５ａの第１壁区分１１０内には、側縁１２０ａから値ａ／２の距離を隔てて、やはり第２長穴１５０が形成されている。
第２壁区分１７５と、フットプレート８５ａの、前記第２壁区分１７５に対して平行な側縁１２０ａとの間の距離は値ａである。前記第２壁区分１７５に対して直角に配置された第１壁区分１１０と、フットプレート８５ａの、前記第１壁区分に対して平行な側縁１６２ａとの間の距離は値２ａである。第２壁区分１７５ａ及び第１壁区分１１０、並びに側縁ａ及び１６２ａは、フットプレート８５ａにおいて、辺寸法をａ×２ａとする長方形面区分１８５を画成する。該長方形面区分１８５が第１壁区分１１０及び第２壁区分１７５と相俟って形成するエッジに沿って、フットプレート８５ａ内に小さな凹所１３２が形成されている。台座８０ａの長方形面区分１８５内には、正方形面区分１３０の場合と同様に１つの貫通孔１３５が形成されている。
第２壁区分１７５内には、側縁１６２ａから距離ａ／２を隔てて１つの貫通孔が、高さ方向に延びる第１長穴１９０の形で形成されている。この第１長穴１９０から平行に距離ａを隔てて第２長穴１９５が形成されている。前記の第１長穴１９０と第２長穴１９５との間で第２壁区分１７５内には１つの凹設部２００が形成されており、該凹設部によって、有利に成形材４０を第２壁区分１７５に一層正確に当接させることが可能になる。理想的には長方形面区分１８５と両長穴１９０，１９５との間で第２壁区分１７５に沿って２つの凸設部２０５が一体成形され、該凸設部は、成形材３５，４０，７０の溝５０の溝ネック内に係合式に配置することが可能である。該凸設部２０５は、溝５０の横断面形状に対応した横断面形状を有することも可能である。これによって台座と成形材３５，４０，７０との間の格別固定的な結合が可能になる。
第１の壁９０ａの第１壁区分１００と第２の壁９５ａの第２壁区分１８０は、やはり長方形面区分１８５を画成し、かつ上述の第１壁区分１１０及び第２壁区分１７５と全く等しく構成されている。２つの長方形面区分１８５を配置したことによって、台座８０ａは、長方形の成形材４０から成るフレームを有するドアの場合に、躓き部位を発生させないように使用することができる。
第２壁区分１７５と、フットプレート８５ａの、前記第２壁区分１７５に対して平行な側縁１６７ａとの距離は値２ａである。第１の壁９０ａの第２壁区分１７５に対して直角に配置された、第２の壁９５ａの第２壁区分１８０と、フットプレート８５ａの、前記第２壁区分に対して平行な側縁１６２ａとの距離は同様に値２ａである。従って両方の第２壁区分１７５，１８０並びに両方の側縁１６２ａ，１６７ａは、フットプレート８５ａ内に１辺の辺寸法を２ａとする正方形面区分２１０を画成する。正方形面区分２１０が第２壁区分１７５，１８０と相俟って形成するエッジに沿ってフットプレート８５ａには小さな凹所１３２が形成されている。第２壁区分１７５の長穴１９０と１９５との中間及び第２壁区分１８０の長穴１９０と１９５との中間には凹設部２００が形成されている。長穴１９０，１９５と正方形面区分２１０との間には、やはり凸設部２０５を設けることが可能である。台座８０ａの正方形面区分２１０内には、台座８０の場合と同様に１つの貫通孔１３５が形成されており、該貫通孔と両側縁１６２ａ及び１６７ａとの距離は値ａ／２である。
台座８０ａの正方形面区分１３０によって１本の成形材３５が取付けられ、２つの長方形面区分１８５によって１本の成形材４０が取付けられ、かつ正方形面区分２１０によって１本の成形材７０が取付けられる。要するに１つの台座８０ａによって、３つの異なった成形材３５，４０，７０を取付けることが可能になる訳である。これは、互いに直角に配置されていてかつ少なくとも１つの面区分１３０，１８５，２１０をフットプレート８５ａ上で少なくとも部分的に画成する２つ又はそれ以上の一体成形された壁９０ａ，９５ａをフットプレート８５ａに設けることによって可能になる。前記壁は必ずしも互いに直角に位置する必要はない。成形材が三角形横断面を有している場合には、壁相互は相応の角度をとって位置することができる。とは云え、壁は、より高い機械的強度を得るために少なくとも１本の成形材３５，４０，７０に固着可能でなければならない。本発明によれば少なくとも１つの壁９０ａ，９５ａは第１壁区分１００，１１０と第２壁区分１７５，１８０を有している。各壁区分１００，１１０，１７５，１８０は、異なった大きさの面区分１３０，１８５，２１０を画成し、各面区分自体は異なった大きさの成形材（３５，４０，７０）に適合されている。本発明との関連において「適合される」とは、フットプレート８５ａの面区分１３０，１８５，２１０が、組付けられた成形材３５，４０，７０を超えて著しくは張出さず、つまり張出し範囲がミリメートル範囲内、理想的には約１ｍｍ以内に留まることを意味している。これによってフットプレート８５ａは有利なことに、１つの防護フェンスによって形成される制限線を超えて張出さず、従って躓き部位を全く形成しない。その結果、面区分は、成形材３５，４０，７０がフットプレート８５ａを超えて張出させるような大きさであることもできる。それというのは、成形材の方が張出しても、事故の発生要因とはならないからである。
第１及び第２の壁９０ａ，９５ａは夫々が、第１壁区分１００，１１０と第２壁区分１７５，１８０を有し、これによって固定可能な成形材３５，４０，７０の個数が増大するので有利である。
横断面の外側輪郭が長方形の市販の成形材の場合、第１と第２の壁９０ａ，９５ａが互いに直角に位置し、かつ壁区分１００，１１０，１７５，１８０が、互いに直角に位置する４つの側縁１２０ａ，１２５ａ，１６２ａ，１６７ａと相俟って少なくとも１つの面区分１３０，１８５，２１０を画成するのが理想的である。
これは第１に、２つの第１壁区分１００，１１０によって画成された第１面区分１３０が正方形に構成されており、かつ第１面区分１３０の辺寸法ａが、第１の成形材３５の横断面外側輪郭の１側辺の辺寸法ａに等しいことによって、最適化される。第２に第１壁区分１００，１１０と第２壁区分１７５，１８０が、２つの面区分１８５を画成しており、両面区分は長方形に形成されている。それというのは第２面区分１８５の第１の辺寸法ａが、第２の成形材４０の第１の辺寸法ａに等しく、かつ第２面区分１８５の第２の辺寸法２ａが第２の成形材４０の第２の辺寸法２ａに等しいからである。第３に２つの第２壁区分１７５，１８０が、正方形に形成された１つの面区分２１０を画成しており、かつ該面区分の辺寸法２ａは、第３の成形材７０の横断面外側輪郭の１側辺の辺寸法２ａに等しい。従って辺寸法ａを有する１本の正方形成形材３５と、１倍の辺寸法ａと２倍の辺寸法２ａとから成る長方形成形材４０と、２倍の辺寸法２ａを有する正方形成形材７０とを固定できるように、正方形面区分１３０、長方形面区分１８５及び正方形面区分２１０を設計するのが有利である。これは原則として市販の成形材３５，４０，７０の等級づけに相当するからである。しかし前記の１倍の辺寸法ａ及び２倍の辺寸法２ａに代えて、別の辺寸法関係にすることも可能である。
前記台座８０ａを使用することによって、使用者は現場において、どのような成形材３５，４０又は７０を負荷に応じて使用すべきかを、短時間で決定することができる。
１つの面にアンカー止めされた台座８０ａには、複数の成形材３５，４０，７０を同時に装着することが可能である。これが有利になるのは、１つの防護フェンスの１つのコーナーに１つの台座８０ａを設置し、かつそれ自体閉じた別の防護フェンスを接続し、しかも、この別の防護フェンスの１つのコーナーに同じく台座８０ａを設置する場合である。このために面区分１３０，１８５，２１０の側に貫通孔１３５は、ボルトヘッド用の沈頭揉み皿１４０を付加的に有することができる。これによって台座８０ａは１つの面２５に固定され、その場合ボルトヘッドが、面区分１３０，１８５，２１０を超えて突出することはない。
【図１】
0003946269.tif 000002
【図２】
0003946269.tif 000003
【図３】
0003946269.tif 000004
【図４】
0003946269.tif 000005
【図５】
0003946269.tif 000006
【図６】
0003946269.tif 000007
【図７】
0003946269.tif 000008